(57)【要約】【課題】本発明は大幅に生産コストを下げ、製造工程時間を減少する放熱モジュール及び放熱器を提供する。【解決手段】放熱モジュールはファン及び放熱器を含む。放熱器は本体及び少なくとも一つの可動部材を有する。本体は複数のフィン、少なくとも一つの第一固定スロット及び少なくとも一つの第二固定スロットを有し、第一及び第二固定スロットは本体に一体成型される。可動部材は回転或いは移動できるよう第一固定スロットに結合し、且つ可動部材は回転部、操作部、接触部及び少なくとも一つの固定部を含む。回転部は第一固定スロットに回転或いは移動できるよう収納される。操作部の一端は回転部と連接し、回転部を回転或いは移動させるのに用いられる。接触部は操作部のもう一端に位置し、前記第二固定スロットと接合或いは分離することができる。固定部は回転部に突き出て設けられ、ファンを放熱器に固定するのに用いられる。【選択図】図１
2008141164.tif 000002
【特許請求の範囲】
【請求項１】
複数のフィン、少なくとも一つの第一固定スロット及び少なくとも一つの第二固定スロットを有し、前記第一固定スロット及び前記第二固定スロットを一体成型した本体と、
前記第一固定スロットに回転或いは移動できるよう結合する少なくとも一つの可動部材を含み、
前記可動部材は、
前記第一固定スロットに回転或いは移動できるよう収納される回転部と、
その一端が前記回転部と連接し、前記回転部を回転或いは移動させるのに用いられる操作部と、
前記操作部のもう一端に位置し、前記第二固定スロットと接合或いは分離することができる接触部と、
前記回転部に突き出て設けられ、前記本体にファンを押さえ付け固定するのに用いられる少なくとも一つの固定部と、を含む放熱器。
【請求項２】
複数のフィン、少なくとも一つの第一固定スロット及び少なくとも一つの第二固定スロットを有し、前記第一固定スロット及び前記第二固定スロットを一体成型した本体と、
前記第一固定スロットに回転或いは移動できるよう結合する少なくとも一つの可動部材を含み、
前記可動部材は、
前記可動部材の一端に位置し、前記第二固定スロットと接合或いは分離することができる接触部と、
前記可動部材に突き出て設けられ、前記本体にファンを押さえ付け固定するのに用いられる少なくとも一つの固定部と、を含む放熱器。
【請求項３】
本体と、
その一端が前記本体に回転或いは移動できるよう結合する少なくとも一つの可動部材を含み、
前記可動部材は、
前記可動部材のもう一端に位置し、前記本体と接合或いは分離することができる接触部と、
前記可動部材に突き出て設けられ、前記本体にファンを押さえ付け固定するのに用いられる少なくとも一つの固定部と、を含む放熱器。
【請求項４】
前記固定部は前記ファンのサイド、コーナ或いはベース部分を押さえ付ける請求項１から３のいずれか一項に記載の放熱器。
【請求項５】
前記固定部は少なくとも一つの連接部及び少なくとも一つの押付部を有し、前記押付部と前記連接部とは連接し且つ角度を形成し、前記連接部の一端と前記可動部材は連接される請求項１から３のいずれか一項に記載の放熱器。
【請求項６】
前記固定部はＣ形構造体、Ｕ形構造体、Ｌ形構造体、Ｋ形構造体、或いはＪ形構造体である請求項１から３のいずれか一項に記載の放熱器。
【請求項７】
前記接触部は線形、Ｌ形、Ｕ形或いは弧形である請求項１から３のいずれか一項に記載の放熱器。
【請求項８】
前記可動部材は棒状構造体、板状構造体、ブロック構造体或いは一体成型の構造体である請求項１から３のいずれか一項に記載の放熱器。
【請求項９】
前記可動部材はさらに、前記可動部材を移動或いは回転させるのに用いられる少なくとも一つの取っ手部を含む請求項１から３のいずれか一項に記載の放熱器。
【請求項１０】
前記取っ手部は線形、Ｕ形、Ｎ形、Ｍ形、弧形、板形或いは少なくとも一つのひだのある構造である請求項９に記載の放熱器。
【請求項１１】
前記第一固定スロット或いは前記第二固定スロットは前記フィンに一体成型される請求項１或いは２に記載の放熱器。
【請求項１２】
前記本体はさらに前記ファンを収納する板状部分を含み、且つ前記第一固定スロット及び前記第二固定スロットは、前記板状部分の周縁の前記本体に周設される請求項１または２に記載の放熱器。
【請求項１３】
ファンと、
放熱器を含む放熱モジュールであって、
前記放熱器は、
複数のフィン、少なくとも一つの第一固定スロット及び少なくとも一つの第二固定スロットを有し、前記第一固定スロット及び前記第二固定スロットを一体成型させた本体と、
前記第一固定スロットに回転或いは移動できるよう結合する少なくとも一つの可動部材を含み、
前記可動部材が、
前記第一固定スロットに回転或いは移動できるよう収納される回転部と、
その一端が前記回転部と連接し、前記回転部を回転或いは移動させるのに用いられる操作部と、
前記操作部のもう一端に位置し、前記第二固定スロットと接合或いは分離することができる接触部と、
前記回転部に突き出て設けられ、ファンを前記本体に押さえ付け固定するのに用いられる少なくとも一つの固定部と、を含む放熱モジュール。
【請求項１４】
ファンと、
放熱器を含む放熱モジュールであって、
前記放熱器は、
複数のフィン、少なくとも一つの第一固定スロット及び少なくとも一つの第二固定スロットを有し、前記第一固定スロット及び前記第二固定スロットを一体成型した本体と、
前記第一固定スロットに回転或いは移動できるよう結合する少なくとも一つの可動部材を含み、
前記可動部材は、
前記可動部材の一端に位置し、前記第二固定スロットと接合或いは分離できる接触部と、
前記可動部材に突き出て設けられ、前記本体に前記ファンを押さえ付け固定するのに用いられる少なくとも一つの固定部と、を含む放熱モジュール。
【請求項１５】
ファンと、
放熱器を含む放熱モジュールであって、
前記放熱器は、本体と、
その一端が回転或いは移動できるよう前記本体に結合する少なくとも一つの可動部材を含み、
前記可動部材が、
前記可動部材のもう一端に位置し、前記本体と接合或いは分離することができる接触部と、
前記可動部材に突き出て設けられ、前記本体に前記ファンを押さえ付け固定するのに用いられる少なくとも一つの固定部と、を含む放熱モジュール。
【請求項１６】
前記可動部材はさらに、前記可動部材を移動或いは回転させるのに用いられる少なくとも一つの取っ手部を含み、前記取っ手部は線形、Ｕ形、Ｎ形、Ｍ形、弧形、板形或いは少なくとも一つのひだがある構造である請求項１３から１５のいずれか一項に記載の放熱モジュール。
【請求項１７】
前記本体はさらに前記ファンを収納する一つの板状部分を含み、且つ前記第一固定スロット及び前記第二固定スロットは、前記板状部分の周縁の前記本体に周設される請求項１３または１４に記載の放熱モジュール。
【発明の詳細な説明】
【技術分野】
【０００１】
本発明は放熱モジュール（heat dissipating module）及び放熱器(heat sink)に関し、特にコストが低く、固定性がよく、製造工程が少なく、組み立てが簡単な放熱モジュール及び放熱器に関するものである。
【背景技術】
【０００２】
コンピューターの中央処理器の演算スピードがますます速くなったことにつれ、前記中央処理器から生じる熱量もますます多くなり、もし、過多の熱が即時に排出できない場合は、前記中央処理器のオペレーションの安定性及び使用寿命が大幅に下がる。
【０００３】
よって業界においては通常前記中央処理器の頂面に放熱器を取り付け、さらに放熱器の放熱フィンの頂端にファンを取り付け、前記中央処理器から生じる熱を迅速に排出させている。
【０００４】
従来のファンを放熱器に取り付ける方法は、ネジを利用し、直接ファンを放熱器に固定する。しかし、ネジは前記放熱フィンを損壊或いは変形させる方式でファンと放熱器とを固定するので、前記ファン回転の過程で前記ネジはファンの振動によって前記放熱器から脱離し、ファンがしっかりと放熱器に固定されなくなり、そのため、大幅に熱の排出効率が下がることになる。
【０００５】
従来のファンを放熱器に取り付けるもう一つの方法は、まずファンを外部接続の固定スタンドに固定し、さらにハンダ付け、係合或いはきつく取り付ける方式で、前記外部接続の固定スタンドを放熱器に固定する。前述の方法はすでに特許文献１、特許文献２に掲示されている技術である。この方法は余分に外部接続の固定スタンドを使用し、且つ位置を合わせ接合するステップを二回行う必要があるため、全体の生産コスト、組み立ての複雑度、製造工程の数など全てが大幅に増加される。
【０００６】
上述技術の外部接続固定スタンドは、放熱器にただ単一の方向にハンダ付け、係合或いはきつく取り付けられるだけで、前記ファンの回転時の振動方向は二次元、さらに三次元であるため、前記外部接続の固定スタンドと放熱器も容易にファンの回転過程で脱離、ゆるみなどの不良状況を発生し、それによってファンがしっかりと放熱器に固定されなくなり、その結果大幅に熱の排出効率が下がる。
【０００７】
このほかに、従来のファンと放熱器との接合技術は、大部分はネジ等によりファンを直接放熱器或いは外部接続固定スタンドに固定する。これらの固定はその他の工具を用いなければファンの固定が実現できないため、取り付けの過程はかなり複雑且つ不便である。
【特許文献１】中国特許出願第０２２７１７２０．Ｘ号
【特許文献２】台湾公告第Ｍ２６７５２３号
【発明の開示】
【発明が解決しようとする課題】
【０００８】
上述の問題を解決するために、本発明は、大幅に生産コストを下げ、製造工程時間を減少できる放熱モジュール及び放熱器を提供する。
【０００９】
本発明はさらに、大幅にファンと放熱器との間の固定性を高めるとともに、ファンと放熱器間の組みたてを簡易化できる放熱モジュールを提供する。
【課題を解決するための手段】
【００１０】
本発明は放熱器を提供し、放熱器は本体及び少なくとも一つの可動部材を含む。前記本体は複数のフィン、少なくとも一つの第一固定スロット及び少なくとも一つの第二固定スロットを有し、前記第一固定スロット及び前記第二固定スロットは前記本体に一体成型される。前記可動部材は前記第一固定スロットに回転或いは移動できるように連結する。前記可動部材は回転部、操作部、接触部及び少なくとも一つの固定部を含む。前記回転部は前記第一固定スロットに回転或いは移動できるよう収納される。前記操作部の一端は前記回転部と連接され、前記回転部を回転或いは移動させるために用いられる。前記接触部は前記操作部のもう一端に位置し、前記第二固定スロットと接合或いは分離することができる。前記固定部は前記回転部に突き出て設けられ、ファンを前記本体に押さえ付けて固定するために用いられる。
【００１１】
本発明はもう一つの放熱器を提供し、それは本体及び少なくとも一つの可動部材を含む。前記本体は複数のフィン、少なくとも一つの第一固定スロット及び少なくとも一つの第二固定スロットを有し、前記第一固定スロット及び前記第二固定スロットは前記本体に一体成型される。前記可動部材は前記第一固定スロットに回転或いは移動できるよう連結し、且つ可動部材は接触部及び少なくとも一つの固定部を含む。前記接触部は前記可動部材の一端に位置し、前記第二固定スロットと接合或いは分離することができる。前記固定部は前記可動部材に突き出て設けられ、前記本体にファンを押さえ付け固定するために用いられる。
【００１２】
本発明はさらにもう一つの放熱器を提供し、それは本体及び少なくとも一つの可動部材を含む。前記可動部材の一端は前記本体に回転或いは移動できるよう連結し、且つ前記可動部材は接触部及び少なくとも一つの固定部を含む。前記接触部は前記可動部材のもう一端に位置し、前記本体と接合或いは分離できる。前記固定部は前記可動部材に突き出て設けられ、前記本体にファンを押さえ付け固定するために用いられる。
【００１３】
本発明は放熱モジュールを提供し、それはファン及び放熱器を含む。前記放熱器は本体及び少なくとも一つの可動部材を有する。前記本体は複数のフィン、少なくとも一つの第一固定スロット及び少なくとも一つの第二固定スロットを有し、前記第一固定スロット及び前記第二固定スロットは前記本体に一体成型される。前記可動部材は前記第一固定スロットに回転或いは移動できるよう連結する。前記可動部材は回転部、操作部、接触部及び少なくとも一つの固定部を含む。前記回転部は前記第一固定スロットに回転或いは移動できるよう収納される。前記操作部の一端は前記回転部と連接し、前記回転部を回転或いは移動させるために用いられる。前記接触部は前記操作部のもう一端に位置し、前記第二固定スロットと接合或いは分離することができる。前記固定部は前記回転部に突き出て設けられ、前記本体にファンを押さえ付けて固定するために用いられる。
【００１４】
本発明はもう一つの放熱モジュールを提供し、それはファン及び放熱器を含む。前記放熱器は本体及び少なくとも一つの可動部材を有する。前記本体は複数のフィン、少なくとも一つの第一固定スロット及び少なくとも一つの第二固定スロットを有し、前記第一固定スロット及び前記第二固定スロットは前記本体に一体成型される。前記可動部材は前記第一固定スロットに回転或いは移動できるよう連結する。前記可動部材は接触部及び少なくとも一つの固定部を含む。前記接触部は前記可動部材の一端に位置し、前記第二固定スロットと接合或いは分離することができる。前記固定部は前記可動部材に突き出て設けられ、前記本体に前記ファンを押さえ付け固定するために用いられる。
【００１５】
本発明はさらに放熱モジュールを提供し、それはファン及び放熱器を含む。前記放熱器は本体及び少なくとも一つの可動部材を有する。前記可動部材の一端は前記本体に回転或いは移動できるよう連結する。前記可動部材は接触部及び少なくとも一つの固定部を含む。前記接触部は前記可動部材のもう一端に位置し、前記本体と接合或いは分離できる。前記固定部は前記可動部材に突き出て設けられ、前記本体に前記ファンを押さえ付け固定するために用いられる。
【発明の効果】
【００１６】
本発明の放熱モジュール及び放熱器は操作部を回転或いは移動することによって、容易にファンを放熱器に固定できる。さらに、可動部材は直接前記放熱器の本体に回転或いは移動できる方式で連結するため、従来ファンのように、固定スタンドを加えたり、放熱器の複雑な位置を合わせたりするプロセスがないため、大幅に製造工程の時間及び組み立てのステップを減少することができる。
【００１７】
本発明の放熱モジュール及び放熱器は従来の固定スタンドを使用する必要がないため、さらに生産及び材料のコストを下げることができる。そのほかに、可動部材は直接前記放熱器にファンを固定させるため、前記ファンは多方向からの保持力を得ることができるので、ファンと放熱器との間の固定性を大幅に上げることができる。
【発明を実施するための最良の形態】
【００１８】
本発明の上記に述べた目的、特長、長所等をさらに分り易く、図面をもって下記の通り説明を行う。
【００１９】
図１は本発明の第一の好ましい実施形態の放熱モジュール１００の概略図である。図２は図１の分解概略図である。同時に図１及び図２を参照すると、本発明の放熱モジュール１００は少なくとも一つのファン１０２及び放熱器１０４から構成される。前記ファン１０２は軸流式、サイドブロー式或いは斜流式のファンとすることができる。
【００２０】
前記放熱器１０４は本体１０６及び少なくとも一つの可動部材１０８から構成される。前記本体１０６は複数のフィン１２０を有し、前記フィン１２０は少なくとも一つの電子素子からの熱量を伝導するために用いられる。前記本体１０６はさらに少なくとも一つの第一固定スロット１１８a及び少なくとも一つの第二固定スロット１１８ｂを含み、前記第一固定スロット１１８a及び前記第二固定スロット１１８ｂは前記本体１０６に一体成型される。具体的に言うと、前記第一固定スロット１１８a及び前記第二固定スロット１１８ｂはそれぞれ異なるフィン１２０に一体成型される。
【００２１】
前記本体１０６はさらに、前記ファン１０２を収納させる板状部分をも含むことができ、この時前記第一固定スロット１１８a及び前記第二固定スロット１１８ｂは前記板状部分の周縁の前記本体１０６に周設される。
【００２２】
前記可動部材１０８の一端は前記本体１０６に回転或いは移動できる方式で連結し、具体的に言うと、前記可動部材１０８は前記第一固定スロット１１８a内に回転或いは移動できる方式で連結する。前記可動部材１０８のもう一端は接触部１１０を形成し、前記本体１０６の前記第二固定スロット１１８ｂと容易に接合或いは分離する。前記接触部１１０は線形、Ｌ形、Ｕ形或いは弧形である。
【００２３】
前記可動部材１０８は少なくとも一つの固定部１１２をも有し、前記固定部１１２は前記可動部材１０８に突き出て設けられ、前記ファン１０２を前記本体１０６に押さえ付けて固定するために用いられる。具体的に言うと、前記固定部１１２は前記ファン１０２のサイド、コーナ或いはベース部分を押さえ付ける。前記固定部１１２はＣ形構造体、Ｕ形構造体、Ｌ形構造体、Ｋ形構造体或いはＪ形構造体とすることができる。
【００２４】
前記固定部１１２は少なくとも一つの連接部１２２及び少なくとも一つの押付部１２４を有し、前記押付部１２４は前記連接部１２２と連接し且つ角度を形成する。前記連接部１２２の一端は前記可動部材１０８と連接する。前記連接部１２２は線形或いは弧形となることができる。前記押付部はＵ形、線形或いは弧形とすることができる。
【００２５】
前記可動部材１０８はさらに回転部１１６を含み、前記回転部１１６は回転或いは移動できる方式で前記第一固定スロット１１８aに収納される。さらに好ましいのは、前記固定部１１２が前記回転部１１６に突き出て設けられ、且つ前記固定部１１２の一端が前記回転部１１６と連接する。前記回転部１１６は線形或いは弧形である。
【００２６】
前記可動部材１０８はさらに操作部１１４を含み、前記操作部１１４の一端と前記回転部１１６が連接することによって前記回転部１１６を回転或いは移動させることができ、もう一端は前記接触部１１０と連接する。前記操作部１１４は前記回転部１１６と角度をなす。前記操作部１１４は線形或いは弧形とすることができる。
【００２７】
前記可動部材１０８の前記回転部１１６、前記操作部１１４、前記接触部１１０及び固定部１１２は一体成型される。具体的に言うと、前記可動部材１０８は棒状構造体、板状構造体、ブロック構造体或いは一体成型の構造体などを折り曲げて形成される。
【００２８】
本発明の放熱モジュール１００及び放熱器１０４は前記操作部１１４を回転或いは移動することにより、ファン１０２を放熱器１０４に容易に固定することができる。前記可動部材１０８は直接前記放熱器１０４の本体１０６に回転或いは移動できる方式で連結されるため、従来のファンのように固定スタンドを加えたり、放熱器の複雑な位置を合わせたりするプロセスがないので、大幅に製造工程の数及び組み立てのステップを減少することができる。
【００２９】
本発明の放熱モジュール１００及び放熱器１０４は従来の外部接続の固定スタンドを使用する必要がないため、生産及び材料のコストを下げることができる。さらに、前記可動部材１０８は直接ファン１０２を前記放熱器１０４に固定するので、前記ファン１０２は多方向の保持力を得ることができるため、ファン１０２と放熱器１０４との間の固定性を大幅に上げることができる。
【００３０】
図３は本発明の第二の好ましい実施形態の放熱モジュール２００の概略図である。この放熱モジュール２００と上述の放熱モジュール１００の差異は放熱器の可動部材２０８がさらに、前記可動部材２０８を移動或いは回転させるのに用いられ、少なくとも一つの取っ手部２０２を有する。前記取っ手部２０２は線形、Ｕ形、Ｎ形、Ｍ形、弧形、板形或いは少なくとも一つのひだがある構造にすることができる。
【００３１】
この好ましい実施形態の放熱モジュール及び放熱器は上述の長所を有する以外に、前記可動部材が前記取っ手部２０２を有するために、操作する者がさらに楽に前記可動部材を回転或いは移動させることができ、さらに前記ファンを前記放熱器に容易に固定することができる。
【００３２】
以上、好適な実施形態を挙げて本発明を説明したが、本発明はこれら実施形態に限定はされないと解されるべきであり、つまり本発明は、（当業者であれば自明であるような）各種変更および均等なアレンジをカバーするものである。上に掲げた実施形態は、本発明の原理を説明するための最良の態様を提示すべく選択し記載したものである。即ち、添付の特許請求の範囲は、かかる各種変更および均等なアレンジが全て包含されるように、最も広い意味に解釈されるべきである。
【図面の簡単な説明】
【００３３】
【図１】本発明の第一の好ましい実施形態の放熱モジュールの組み立て立体概略図である。
【図２】図１の分解概略図である。
【図３】本発明の第二の好ましい実施形態の放熱モジュールの組み立て立体概略図である。
【符号の説明】
【００３４】
１００、２００      放熱モジュール      １１８ａ      第一固定スロット
１０２              ファン              １１８ｂ      第二固定スロット
１０４              放熱器              １２０        フィン
１０６              本体                １２２        連接部
１０８、２０８      可動部材            １２４        押付部
１１０              接触部              ２０２        取っ手部
１１２              固定部
１１４              操作部
１１６              回転部
【図１】
2008141164.tif 000003
【図２】
2008141164.tif 000004
【図３】
2008141164.tif 000005